Podtech/llm-jp-corpus-v4-ja_patent huggingface dataset:
(57)【要約】【課題】  従来の皮膚化粧料と比べ、皮膚の張りを保ち、皺、たるみを格段に減少する効果を生じる皮膚化粧料を提供する。【解決手段】  化粧基材（精製水、グリセリンなど）中に、主成分としてＬ−カルノシン及び２−ジメチルアミノエタノール重酒石酸塩（ＤＭＡＥ）をそれぞれ０．１〜５．０質量％加える。  さらに、ビタミンＣ、ビタミンＥを加えてもよい。  前記成分を加える皮膚化粧料は、美容液、クリームなどの皮膚に塗布する公知のもののいずれであってもよい。【選択図】      なし【特許請求の範囲】
【請求項１】
Ｌ−カルノシン及び２−ジメチルアミノエタノール重酒石酸塩（ＤＭＡＥ）を夫々０．１〜５．０質量％含有してなる皮膚化粧料。
【発明の詳細な説明】
【技術分野】
【０００１】
本発明は、皮膚表面の皺、たるみを減少する効果を有する皮膚化粧料に関する。
【背景技術】
【０００２】
皮膚表面の皺、たるみを減少する効果を有する皮膚化粧料として、ビタミンＣやビタミンＥなどを加えたものがあるが、効果がいまだ不充分である。
【発明の開示】
【発明が解決しようとする課題】
【０００３】
本発明は、上記欠点を解消し、皮膚の張りを保ち、皺、たるみを減少する効果を生じる皮膚化粧料を提供することを目的とする。
【課題を解決するための手段】
【０００４】
上記目的を達成するために本発明者は、鋭意研究の結果、Ｌ−カルノシン及び２−ジメチルアミノエタノール重酒石酸塩（ＤＭＡＥ）を適量配合した化粧料を使用することにより、皮膚の張りを保ち、皺、たるみが減少することを知見して本発明に至った。
【０００５】
すなわち本発明の皮膚化粧料は、Ｌ−カルノシン及び２−ジメチルアミノエタノール重酒石酸塩（ＤＭＡＥ）を夫々０．１〜５．０質量％含有してなる。
皮膚化粧料は、美容液、クリームなど皮膚に適用する公知のもののいずれであってもよ
い。
【発明の効果】
【０００６】
本発明では、Ｌ−カルノシン及び２−ジメチルアミノエタノール重酒石酸塩（ＤＭＡＥ）の持つ作用の相乗により、皮膚の張りを保ち、皺、たるみを減少できる。
【発明を実施するための最良の形態】
【０００７】
以下本発明について説明する。
【０００８】
精製水、グリセリンなどを含む通常の化粧基材中に、例えばＬ−カルノシンを５．０質量％、２−ジメチルアミノエタノール重酒石酸塩（ＤＭＡＥ）を４．０質量％加える。
さらに、ビタミンＣ、ビタミンＥ、グルコサミンなどの肌（皮膚）に潤いや張りを与えるとされる公知の成分や、香料、ＰＨ調整剤などを適宜加え製品（美容液、クリームなどの皮膚化粧料）にする。
【０００９】
前記Ｌ−カルノシン及び２−ジメチルアミノエタノール重酒石酸塩（ＤＭＡＥ）の量はいずれも０．１〜５．０質量％であればよい。いずれかが０．１質量％未満の場合は、皮膚の張りを保ち、皺、たるみを減少するという効果を生じないし、逆に５．０質量％を越える場合は、製品価格が高騰するだけで、５．０質量％以下のものと効果に顕著な違いを生じない。
【００１０】
なお、本発明皮膚化粧料の作用の根拠は、明確ではないが、以下の抗酸化作用、糖の代謝の促進作用及び筋肉収縮機能の向上作用の相乗によると推定できる。
（抗酸化作用）
Ｌ−カルノシンの持つ抗酸化作用により、フリーラジカルによる皮膚のコラーゲン層の破壊を防ぐ。
（糖の代謝の促進作用）
体内で代謝されずに蓄積した糖が皮膚のコラーゲンと結合して、コラーゲン線維の持つ伸縮性を阻害し、老人斑や皺ができ易くなる。Ｌ−カルノシンは糖の代謝を促進し、コラーゲンとの結合を防ぎ、老人斑や皺をでき難くする。
（筋肉収縮機能の向上作用）
２−ジメチルアミノエタノール重酒石酸塩（ＤＭＡＥ）は、アセチルコリンの前駆体であり、皮膚から吸収された時、アセチルコリン受容体を阻害し、筋肉収縮機能を高める。
【実施例】
【００１１】
化粧基材中に、Ｌ−カルノシンを５．０質量％、２−ジメチルアミノエタノール重酒石酸塩（ＤＭＡＥ）を４．０質量％加える。
さらに、ビタミンＣ、ビタミンＥ、グルコサミン及びＰＨ調整剤を加えた製品を、３０代の女性１５人に３ヶ月間使用してもらったところ、全員が肌のきめが細かくなったような気がするとの使用感を持つと共に、８人が皺が改善したと報告してきた。
(57)【要約】【課題】  太陽光からの防眩と安全運転の為の視界確保。従来のサンバイザーは太陽光線を遮断するとともに視野も狭くなってしまう、そのため信号機や道路標識が見えにくく運転し辛いものになっている。この課題を解決するための考案である。【解決手段】本発明は、電子的装置を使わず偏光板だけを数枚貼り合わせて一枚板にし太陽光線からの防眩と視界の確保さらに調光機能を持たせたサンバイザーにし，不器用な人でも簡単に調光出来るようにする。【選択図】図１
2007153041.tif 000002
【特許請求の範囲】
【請求項１】
偏光板を数枚貼り合わせ太陽光からの防眩と調光機能を備えたサンバイザー。
【発明の詳細な説明】
【技術分野】
【０００１】
本発明は、電気又は電子的装置を使わずに調光を可能にした自動車用サンバイザーである。
【背景技術】
【０００２】
防眩用半透明板の枚数を増減して調光を可能にしたサンバイザーが有るが自動車を運転中に防眩用半透明板の枚数を増減しづらく扱いにくい物となっている。特開２０００−３４３９４４号公報
【０００３】
また、合成樹脂製で作られた板状体の防眩調光版はサイドバイザーには優れているが、光量で反応し着色退色しているため個々に合った調光は出来ない。人それぞれ外光量眩しさの感じ方は違うもの個々で調光出来るルーフパネル又はサンバイザーであって欲しい。登録実用新案第３１１１４８６号
【０００４】
電子的装置を使わず偏光板のみを使って外光量に関係なく調光でき、さらに個々で調光を可能にしたサンバイザーは良くできている。しかし、偏光板を回転し調光するためサンバイザー又は装置の形状のわりに偏光板を通して見る視界が狭く成っている。登録実用新案第３０５４３３１号、特開平１０−２７８５８３号公報
【特許文献１】特開平１０−２７８５８３号公報
【特許文献２】特開２０００−３４３９４４号公報
【特許文献３】登録実用新案第３０５４３３１号
【特許文献４】登録実用新案第３１１１４８６号
【発明の開示】
【発明が解決しようとする課題】
【０００５】
太陽光からの防眩と安全運転の為の視界確保。従来のサンバイザーは太陽光線を遮断するとともに視野も狭くなってしまう、そのため信号機や道路標識が見えにくく運転し辛いものになっている。この課題を解決するための考案である。
【課題を解決するための手段】
【０００６】
本発明は、電子的装置を使わず偏光板だけを数枚貼り合わせて一枚板にし太陽光線からの防眩と視界の確保さらに調光機能を持たせたサンバイザーにする。
【発明の効果】
【０００７】
本発明は偏光板を数枚貼り合わせた簡単な構造であるが、背景技術の用に偏光板を回転させて調光するのではなく、本発明のサンバイザー下部を前後するだけで簡単に調光できる利点を持っている。
【０００８】
本発明は太陽光線からの防眩と運転に十分な視界が得られる。
【発明を実施するための最良の形態】
【０００９】
電子的装置と光に反応する物質を用いず調光出来るサンバイザーの目的を偏光板でのみで実現できた。
【実施例１】
【００１０】
図１の実施例は、図２で貼り合わせた偏光板をサンバイザーとして利用した例でサンバイザー取り付け機具（図１−１）にサンバイザー本体（図１−２）を取り付けた例である。
【００１１】
図１−３は、サンバイザー拡大図で斜め線は偏光板での透過した光とする。
【実施例２】
【００１２】
図２の実施例は、偏光板（図２−５）と偏光板（図２−６）を貼り合わせる時、振動面（図２−７）を透過した光と振動面（図２−８）を透過した光の２種類の透過角度（図１−４）が７０度から９０度の間で貼り合わせる位置を決め貼り合わせる。
【００１３】
偏光板（図２−５）と偏光板（図２−６）を貼り合わせた偏光板を光にかざし、角度を変えながら見ると調光出来る事を確認できる。
【実施例３】
【００１４】
図３の実施例は、車両を横側から見た図で、車両にサンバイザー（図３−９）を取り付けサンバイザー下部を前後（図３−１０）して調光する。簡単操作で調光出来るので不器用な人でも難なく調光出来る。
【産業上の利用可能性】
【００１５】
ヘルメットのシールドに適用できる。
【図面の簡単な説明】
【００１６】
【図１】サンバイザー本体の実施方法を示した説明図である。（実施例１）
【図２】偏光板の実施方法を示した説明図である。（実施例２）
【図３】車両の実施方法を示した説明図である。（実施例３）
【符号の説明】
【００１７】
１    サンバイザー取り付け機具
２    サンバイザー本体
３    サンバイザー拡大図
４    偏光角度
５    偏光板１
６    偏光板２
７    振動面
８    振動面
９    サンバイザー本体
１０  サンバイザー前後移動線
【図１】
2007153041.tif 000003
【図２】
2007153041.tif 000004
【図３】
2007153041.tif 000005
(57)【要約】      （修正有）【課題】活性酸素脂（シビ）を徐々に還元し、癌、脳梗塞、前立腺、免疫細胞の働きの低下を防ぎ、尿、大便として活性酸素脂を体外へ排出し健康体を維持することが可能な活性水素癌等消滅具の提供。【解決手段】ＭＧ（マグネシュウム棒）１を水道水２が入ったペットボトル５に入れ、蓋をして活性水素を作り出す活性水素癌等消滅具。マグネシュウム棒はペットボトルの入り口に入れる大きさに設定されている。【選択図】図１
2007153861.tif 000002
【特許請求の範囲】
【請求項１】
（１）ＭＧ棒を（５）ペットボトルの中に入った（２）水道水の中に入れ化学反応で（３）脂（シビ）取りに（６）蓋をしたペットボトルの中で（４）活性水素を作る活性水素癌等消滅具。
【発明の詳細な説明】
【技術分野】
【０００１】  本発明は、身体内に動植物から入っていた脂（シビ）タンニン酸とアルブミンとの化合物黄色い粉末を、九州では呼び名を（シビ）と云って毒ととして恐れられ怖がっている。この毒が出る前に食べてしまう風習がある。この脂（シビ）を消し。罹った病を治すのに、ＭＧ（マグネシュウム）を水道水が入ったペットボトルの中に入れ蓋をして活性水素を作り出して飲み癌、前立腺等の病を消滅させる為に関するものである。
【背景技術】
【０００２】  従来、マグネシュウムＭＧは銀白色の金属で、熱水と反応して水素を発生する。
原料であるマグネシュウム（ＭＧ）は電解法にはさまざまな方法があるがこの中で、代表的と思われる米国のダウ・ケミカル社が１９１６年以来操業してきた方法でミシガンの地下鹹水からマグネシュウムを製造する研究を始めた、希薄なＭｇＣＬ２溶液を濃縮してＭｇＣＬ２の含水塩粉末とし、さらに脱水しＭｇＣＬ２溶液を濃縮してＭＧＣＬ２  １，２５Ｈ２Ｏの組成として、これを電解しマグネシュウムを得る大量生産方法の技術である。
水素Ｈは、（無色・無臭の気体元素）を取り出すのに亜鉛に希硫酸を作用させるか或るいは水を電気分解して水素を作っていた。
【発明の開示】
【発明が解決しようとする課題】
【０００３】そのために、次のような問題点があった。
（イ）タンパク質は、動植物の細胞原形質の主成分であり、多くのアミノ酸が縮合重合してできた高分子化合物である。タンパク質には、加水分解したとき、アミノ酸だけを生ずる単純タンパク質と、アミノ酸のほかに糖・リン酸・核酸などを生じる複合タンパク質とがある。
（ロ）タンパク質の性質▲１▼タンパク質の変性…・・加熱や重金属イオンとの接触などにより、凝固して水に溶けなくなる。この現象を変性という。▲２▼呈色反応・・…キサントプロテイン反応・ビウレット反応・ミロン反応など。初め黄色中の黄色色素を指したが、単一の色素でないことがわかり、現在では酸素原子を含むカロチノイドの一。生物界に広く分布する同棲色素の総称。（シビ）
（ハ）高分子化合物＝糖類グルコース（ブドウ糖）Ｃ６Ｈ１２Ｏ６の結晶である。
（二）グルコースは、水液中では平衡状態で存在し、還元されやすい物質があると、平衡がアルデヒド型の方に移動し、次々と還元作用を示す。
ＭＧ棒外周は、１日１，５リットル入りのペットボトルの口に入れる大きさに設定すること。
（ホ）活性酸素が過剰になると細胞や遺伝子が酸化され病気の原因になっていたのを活性水素で還元し健康体に戻す課題がある。
本発明は、これらの問題点を解決するためになされたものである。
【課題を解決するための手段】
【０００４】（イ）この発明は、体全体に蓄積された脂（シビ）を水素水中の水素で飲用される水素で各個人の体から活性酸素を活性水素で還元し健康に役立てるために（１）ＭＧを（２）水に入れ化学反応で（３）
2007153861.tif 000003
子水素）をペットボトルの中で作れる。
（ロ）ＭＧ棒は水道水に入れると化学式で金属マグネシウムは水と反応して水酸化マグネシウムＭＧ（ＯＨ）２と原子水素（２Ｈ）を生成する。
（ハ）活性酸素を消すのに活性水素癌等消滅具に応用するものである。
【発明の効果】
【０００５】（イ）病に罹ると先ず病院を頼っていたが、本発明の活性水素を日頃から飲んでいると、万病の元である活性酸素を活性水素で還元消滅させ、肌が若返り中年以降の白髪が黒髪となりストレスから来る薄毛症も治り黒髪が生えてくる理想の名薬となる。
（ロ）活性水素が入った水道水を飲むと多くの病気の原因となる活性酸素（酸化作用の強い酸素）は活性水素と結び付いて活性酸素（脂（シビ）を消すことが出来る。
（ハ）１，５リットルのペットボトルがマグネシュウムを入れて蓋を閉めて４時間半後、水面の活性水素が出来て水面がゆらゆらと揺れている（ブラウン）運動するのがが見える位活性水素が出来て作られていた証拠である。
（二）冷たい水導水を温める為にペットボトルの口を閉め太陽光線に当てて暖め４０℃にしたら、この後飲んだ活性水素と以前飲んだ活性水素は効果が全然違っていた。
（ホ）長年の食事から来る脂（シビ）を（活性酸素）を活性水素で還元されるので癌細胞を消すことが出来る。
【発明を実施するための最良の形態】
【０００６】以下、本発明の実施の形態を説明する。
（イ）活性水素は活性酸素脂（シビ）と結合すると安全で無害な水に変化して、尿や汗となって体外へ排出されてしまいます。
（ロ）ＭＧ棒を水道水が入ったペットボトルの中に入れるとＭＧ棒から泡（Ｈ＝水素）はＭＧ棒脇に付着しその泡は水素で水中へ溶融しますが水をペットボトルの外に出すと空気中にさらされ  水素は五分ほどで拡散してしまう。
（ハ）日数が立つとＭＧ棒から泡の出方が少なくなってくるとＭＧ棒を４倍に薄めた酢酸の液体に３０分間浸すと又泡が出始める、が、ＭＧ棒を処理が済んだら水道水で良く洗うこと。
（二）ペットボトルからコップに注いだら活性水素が空中に拡散しない中に一気に飲み干すこと。
（ホ）私は、他人に勧める前に自分で飲んでみたら三ヶ月で白髪が黒髪に変わって、黒髪が生えてきた、之は体内に溜まって活性酸素が水道水に混じっていた活性水素と混合して水となり、尿と汗として体外へ排出されたからである。
（ヘ）身体内に動植物から入っていた脂（シビ）＝（タンニン酸とアルブミンとの化合物）黄色い粉末を、九州では呼び名を（シビ）と云って毒として恐れられ怖がられている。この毒（シビ）が出る前に食してしまう風習がある。この脂（シビ）を消し。罹った病を治すのに、ＭＧ（マグネシュウム）を水道水が入ったペットボトルの中に入れ活性水素を作り出して飲んで癌、前立腺、腰痛、心筋梗塞、肝臓、アトピー、花粉症、等脂（シビ）から来る病又は、水素で還元出きる病を消滅させる為に飲用するものである。
（ト）老人は、活性水素を飲むことによって活性酸素の（シビ）からくる老化現象を遅らせ染を止め新陳代謝を早めるためのものである。
（チ）活性水素の水道水をペットボトル毎４０℃に暖めて飲むと活性水素が活性して効果が早い。
本発明は以上のような構成よりなっている。
【図面の簡単な説明】
【０００７】
【図１】本発明の活性水素製作の斜視図である。
【図２】本発明の魚脂状態を示した図である。
【符号の説明】
【０００８】    １  ＭＧ棒（マグネシュウム棒）。
２  水道水。
３  脂（シビ）。
４  活性水素。
５  ペットボトル。
６  蓋。
【図１】
2007153861.tif 000004
【図２】
2007153861.tif 000005
(57)【要約】      （修正有）【課題】２枚の凸面鏡を、うまく利用して、左右の物体の確認を完璧にするよう、ミラーの大きさ、形、設置する位置、角度、高さ等  十分な研究が必要です。【解決手段】頑強な変幻自在のアングルの使用によって、視野が広くなって、交差点とか狭い路地から出る時の、  出会い頭の衝突などの  事故防止に役立つものと期待しています。【選択図】図１
2007153297.tif 000002
【特許請求の範囲】
【請求項１】
二等辺三角柱の二辺に凸面鏡を備えた、左右同時に物体を確認出来る事を特徴とするミラー。
【請求項２】
前記の２枚の凸面鏡は接していて、角度調整が出来、左右の物体を確認すべく視野が広いを特徴とする。請求項１記載のミラー。
【請求項３】
凸面鏡は自然状況に対応すべく、強化ガラスを使用する，請求項１，２記載のミラー。
【請求項４】
凸面鏡を支えるべき、三角柱は硬質の素材によって形成されている事を特徴とする，請求項１，２，３記載のミラー。
【請求項５】
あらゆる自動車のフロント  フェンダーの前頭部に設置することで、出会い柱の事故を軽減することが出来る請求項１，２，３，４、記載のミラー。
【発明の詳細な説明】
【技術分野】
【０００１】本発明は、ミラーに係り、更には、安全性を確保する為のミラーに関する。
【背景技術】
【０００２】従来より、ミラーは自分の姿を映し出すものとの、認識があったが、凸面鏡の出現で、視野が広くなった、三角柱の二面に凸面鏡を設置する事により、左右の物体が同時に確認出来るようになった。
【発明の開示】
【発明が解決しょうとする課題】
【０００３】しかしながら、このミラーにおいては、ただ、左右が同時に確認出来るだけでは、不十分であります。安全性につながらなければ、なりません。
【０００４】本発明は、このような不都合に着目して、案出されたものであり、その目的は設置する場所により、尚一層、安全性を向上させる事が出来る、ミラーである。
【０００５】その目的を達成する為、本発明は設置する場所を特定するものです。
【０００６】その場所とは、あらゆる自動車のフロント、フェンダーの右側、前頭部にあたる，場所です。
左ハンドルの車の場合は、フロント  フェンダーの左側、前頭部にあたります。
【０００７】［０００６］に示した場所に設置し、，前後、左右、上下、の微調整が出来る自在手で、ミラーを設置する。
【０００８】ミラーの大きさ、形、角度、高さ、等  自動車にマッチする、ミラーを設置する。
【発明の効果】
【０００９】本発明によれば、左右同時に確認出来る二枚の凸面鏡を有するミラーを、［０００６］に記した場所に設置する事により、交差点など狭い路地から、自動車が出るとき、左右が確認出来て、出会い頭の事故を軽減することが出来る。
【発明を実施するための最良の形態】
【００１０】以下、本発明の実施形態を参照しながら説明する。【００１１】図１には、本実施形態に係るミラーの概略斜視図が示され、図２には、その正面図が示されている。
これらの図に関して、ミラーは、上下、左右、に変幻自在になることはもちろん、前後にも対応出来ることが可能です。
【図面の簡単な説明】
【００１２】
【図１】本実施形態に係るミラーの概略斜視図である。
【図２】図１の正面図である。
【図３】図１の前面図である。
【図４】図１の横面図である。
【図５】図１の後面図である。
【図６】図１の設置場所である。
【符号の説明】
【００１３】１      凸面鏡
２      基本器具
３      自在アングル取手
４      自在アングル
５      固定器
６      固定板
７      凸面鏡のカバー
８      ミラー
【図１】
2007153297.tif 000003
【図２】
2007153297.tif 000004
【図３】
2007153297.tif 000005
【図４】
2007153297.tif 000006
【図５】
2007153297.tif 000007
【図６】
2007153297.tif 000008
(57)【要約】      （修正有）【課題】斜め後方を目視することなく死角が視認できる自動二輪車用ミラーを提供する。【解決手段】死角視認用ミラーとバイクへの取付部分をつなぎ合わせ、自動二輪車のサイドミラーないしはその周辺などに取り付ける。また、ミラー部分を可動式にし、視認できる死角の範囲を調整することができるようにする。【選択図】図１
2007153294.tif 000002
【特許請求の範囲】
【請求項１】
自動二輪車の左右側面並びに斜め後方の死角が視認できる、自動二輪車用死角確認ミラー。
【発明の詳細な説明】
【技術分野】
【０００１】本発明は、死角確認用のミラーとバイクのサイドミラーまたはその周辺に固定させる部品とその２つを接続する棒の３つの要素で構成され、ミラーと棒の接合部分は可動式で調節ができ、自動二輪車搭乗時に発生する左右側面並びに左右斜め後方の死角を視認することを目的とする。
【背景技術】
【０００２】従来のサイドミラーでは、狭い範囲での自動二輪車後方部分が視認できる。また、死角部分は、左右斜め後方を振り返り目視して視認している。
【発明の開示】
【発明が解決しようとする課題】
【０００４】サイドミラーは、後方部分の視認が中心であるため、左右側面並びに左右斜め後方に必ず死角が発生する。また、死角を目視するためには振り返らなくてはならず、肉体的負担と前方不注意というデメリットが存在する。当発明により、後ろを振り向き目視しなくても楽に死角を見ることが可能となる。
【課題を解決するための手段】
【０００５】死角確認用のミラーとサイドミラーに設置する部品を棒状のものでつなぎ合わせ、自動二輪車のサイドミラーないしはその周辺に取り付けることで、左右側面及び左右後方の死角が後ろを振り向かなくても簡単に確認できる。【０００６】当該ミラーと支柱の接合部分は可動式とし、ミラーで見える範囲を調節することができる。
【発明の効果】
【０００７】当発明は、これまで振り返って確認せざるを得なかった自動二輪車の左右側面並びに左右斜め後方の死角が、当ミラーをサイドミラーに設置することで簡単に確認することができるようになり、車社会の安全性を飛躍的に向上させるものである。
効果として見込まれる具体例は、
▲１▼  左右後方死角が簡単に確認できる
▲２▼  後ろを振り返らずに死角確認ができるので、肉体的負担及び前方不注意を軽減させることができる
▲３▼  二輪車の巻込み事故を軽減させることができる
▲４▼  高速道路など、速度格差が大きい道路でも車線変更が楽にできる
▲５▼  側道から本線に入る際、ドアミラーでは確認しづらい本線走行車をいち早く確認することができる
▲６▼  支柱とミラーの接合部分が可動式であるため、運転者の背格好や姿勢、確認したい死角状況に合わせて調節することができ、融通性が高まる
などが挙げられる。
【発明を実施するための最良の形態】
【０００８】死角確認用の当該ミラーをサイドミラーの支柱にネジで留めるなど何らかの形で取り付けることで、左右側面及び左右後方の死角が後ろを振り向かなくても簡単に確認できる。
【図面の簡単な説明】
【図１】設置図（左後方死角確認ミラーの場合）２タイプ例  図１は、左後方死角を視認するために、当ミラーを左サイドミラーに設置した状況を示した一例の図２種類である（右後方死角を視認するための設置状況は当図と逆の状況となる）。
【図２】正面図  図２は、当ミラーの正面を示した図である。
【図３】従来のミラーと当ミラーで確認できる死角位置の相違図  従来の自動２輪車の死角位置と当ミラーで確認できる範囲の相関関係を示した図である。
【図１】
2007153294.tif 000003
【図２】
2007153294.tif 000004
【図３】
2007153294.tif 000005
(57)【要約】      （修正有）【課題】車両等は，従来前，後ろ，横（左右），メーター（速度計），に申告灯がなかったので無謀運転事故で死亡した人が多かった，車両又はバイク合図申告灯を提供する。【解決手段】車両又はバイク合図申告灯は，（イ）青ランプ，（ロ）赤ランプが一つおきに，こうごに十灯取り付け点燈する，車両又はバイクが適正速度で走行しているかが，瞬時に他の運転手や警察官など，誰でもがわかる様に設置する，なお事故防止危険運転など判別できる発明です。【選択図】図１
2007153296.tif 000002
【特許請求の範囲】
【請求項１】
車両又はバイクの前．後ろ．横（左右）．メーター（速度計）．５箇所に車両又はバイク合図申告灯を設置．なお車両等が走行すると（イ）青ランプ速度変速切り替え点燈する．ブレーキを踏むと（ロ）赤ランプが５箇所全部点燈する。
【発明の詳細な説明】
【技術分野】
【０００１】この発明は車両等又はバイクのスピード（速度）と、ブレーキを踏んでいるか又は、握るかを他の車両等又は第三者に合図申告ランプです。
【背景技術】
【０００２】速度変速切替合図申告灯ランプは，５箇所設置する，従来はなかった，
従来は車両又はバイクが停止ペダル（ブレーキ）を踏むか握ると車両等の後ろに赤ランプ（ブレーキランプ）点灯、なおトラックの運転席の上に青ランプが３つ走行すると点灯した。
【発明の開示】
【発明が解決しようとする課題】
【０００３】これはつぎのような問題点がある、
交差点での出会い頭，あるいは車両等が停止又は右折車と直進車との衝突事故、他の車両等のスピード（速度）がわからない
本発明は以上のような欠点を無くすものであります。
【課題を解決するための手段】
【０００４】車両又はバイク合図申告灯は、車両又はバイクの前、後ろ、横（左右）、メーター（速度計）、５箇所に設置する、なお車両等合図灯の５箇所内で一つのランプが切れると、速度計のランプが点滅して確認できる。
車両等が適正速度で走行しているかが瞬時に、他の運転車又は警察官、など誰でもがわかるように設置する、なお事故防止、危険運転車など判別出来る発明です、以上の構成より車両又はバイク合図申告灯です。
【発明の効果】
【０００５】車両等に合図灯を装着し点灯させれば交通事故の犠牲者が無くなります。
無謀運転者が瞬時に、他の運転手や第三者又は警察官など誰でも判別出来る。
【発明を実施するための最良の形態】
【０００６】以下本発明の実施例について説明する。
車両等の前、後ろ、横（左右）、スピード計５箇所にアクセルを踏む又は、バイクのアクセルを握ると速度が上がるにつれ点灯する。１個目（青ランプ）は６０〔ｋｍ／ｈ〕、２個目（青ランプ）は７０〔ｋｍ／ｈ〕、３個目（青ランプ）は８０〔ｋｍ／ｈ〕、４個目（青ランプ）は９０〔ｋｍ／ｈ〕，５個目（青ランプ）は１００〔ｋｍ／ｈ〕以上で、点灯する。５箇所の速度変速切替点灯する。
アクセルペダルを離す事で青ランプが消える。ブレーキペダルを踏む又は、握ると赤ランプが５箇所点灯する。自分で他車等又は警察官に速度を申告して走行するので、違反、無謀運転手が０になる発明です。
【図面の簡単な説明】
【０００７】
【図１】車両前
【図２】車両後ろ
【図３】車両横（左右）
【図４】車両メーター（速度計）
【符号の説明】
【０００８】（イ）速度変速切替青ランプ点灯
（ロ）ブレーキを踏む又は、レバーを握ると５箇所赤ランプ点灯
（ハ）車両又はバイク合図申告灯、車等の大小によりサイズが変わる
【図１】
2007153296.tif 000003
【図２】
2007153296.tif 000004
【図３】
2007153296.tif 000005
【図４】
2007153296.tif 000006
【手続補正書】
【提出日】平成18年3月12日(2006.3.12)
【手続補正１】
【補正対象書類名】特許請求の範囲
【補正対象項目名】全文
【補正方法】変更
【補正の内容】
【特許請求の範囲】
【請求項１】
車両又はバイクの前、後ろ、横（左右）、メーター（速度計）、５箇所に、車両又はバイク合図申告灯を設置、アクセルを踏む又はアクセルをまわすと、センサースイチが入り車両又はバイクに走行累進メーターにより（イ）青ランプが点灯する、車両等が走行すると（イ）青ランプ速度変速切り替え点灯する、ブレーキを踏むと（ロ）赤ランプが、５箇所全部点灯する、（イ）青ランプと（ロ）赤ランプが交代点灯することを、（ハ）車両又はバイク合図申告灯の発明名称です。
【手続補正２】
【補正対象書類名】図面
【補正対象項目名】全図
【補正方法】変更
【補正の内容】
【図１】
2007153296.tif 000007
【図２】
2007153296.tif 000008
【手続補正書】
【提出日】平成18年5月1日(2006.5.1)
【手続補正１】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
2007153296.tif 000009
【図２】
2007153296.tif 000010
【図３】
2007153296.tif 000011
【図４】
2007153296.tif 000012
(57)【要約】      （修正有）【課題】フォークリフト用バッテリーに精製水を給水する際、水を漏れこぼす事無く、容易に給水できる、バッテリー液給水器を提供する。【解決手段】レバーコック付きキャップ１のコック口部に、ホース２を取り付け、ホース反対側に有る口部に、ハンドルノズル３を取り付ける。レバーコック付きキャップ、ホース、ハンドルノズルと一体になったバッテリー液給水器を、２０リットル容器に直接セットし、レバーコックを開け、ハンドルを握る事により、ホースにより流れた精製水をノズルから出し、液量の減ったバッテリーのキャップへ精精水を注ぎ込む。【選択図】図１
2007153292.tif 000002
【特許請求の範囲】
【請求項１】
レバーコック付きキャップ（１）のコック口部に、ホース（２）を取り付け、ホース（２）反対側に有る口部に、ハンドルノズル（３）を取り付けたバッテリー液給水器。
【発明の詳細な説明】
【技術分野】
【０００１】  この発明は、フォークリフト用バッテリーに精製水を給水する際、精製水を漏れこぼす事無く、また容易に給水できるようにした、バッテリー液給水器に関する物である。
【背景技術】
【０００２】  従来、フォークリフト用バッテリーに精製水を給水するとき、特定の給水器が無く「やかん」などを使用して給水していました。
その結果、必ず何度も移し替る手間がかかり、その度に精製水の漏れこぼしがありました。また、容易に給水しにくい問題点がありました。
【発明が解決しようとする課題】
【０００３】  これは次のような欠点があった。
バッテリーに精製水を給水するとき、２０リッター容器に入った精製水を別の給水容器に移し替えるため、どちらの容器も口部が小さく手元が少し揺れると精製水が外に漏れこぼれたりしていました。
移し変えに時間が掛かり漏れこぼれた精製水は、床に落ち汚れてしまいます。
２０リッター入り容器は重く、持ち上げての製精水の移し変え作業は重くて辛い。
大型バッテリーなどの給水量が多いものに対しては何度も移し変えの手間がかかり効率が悪く不向きでした。
給水口（直径：約３０ミリ）へ目がけて精製水を注ぐ際、緩やかにしか注げなく、また狙いが外れ漏れこぼしてしまいます。
これは、きわめて効率の悪い、わずわらしい無駄な作業であります。
本発明は、以上のような欠点をなくすためになされたものである。
【課題を解決する為の手段】
【０００４】レバーコック付きキャップ（１）のコック口部に、ホース（２）を設ける、ホース（２）反対側に有る口部に、ハンドルノズル（３）を設ける。
本発明は、以上の構成によりなるフォークリフト用バッテリー液給水器である。
【発明の効果】
【０００５】フォークリフト用バッテリーにも使用しているバッテリー補充液（各フォークリフト販売メーカー純正バッテリー補充液）の２０リットル容器に直接セット出来るため、他の容器に移し替えの必要が無くなります。（精精水の漏れこぼしがなくなる）
ハンドルノズル（３）は、レバーの握り角度で給水量の微調整ができます。（レバーの固定ロックを使用すると、連続で給水できます。）
ハンドルノズル（３）は、ノズルが適度に短い為、精製水を注ぎやすい。
ハンドルノズル（３）の握りは軽い為、手が疲れない。
【発明の実施をするための最良の形態】
【０００６】以下、発明の実施をするための最良の形態について説明する。
レバーコック付きキャップ（１）のコック口部に、ホース（２）を取り付け、ホース（２）反対側に有る口部に、ハンドルノズル（３）を取り付ける。
本発明は、以上のような構成でこれを使用するときは、レバーコック付きキャップ、ホース、ハンドルノズルと一体になった、このバッテリー液給水器を、２０リットル容器に直接セットし、レバーコックを開け、ハンドルを握る事により、ホースにより流れた精製水をノズルから出し、液量の減ったバッテリーのキャップへ精精水を注ぎ込み給水します。
【図面の簡単な説明】
【０００７】
【図１】  本発明の分解斜視図である。
【図２】  本発明の斜視図である。
【符号の説明】
【０００８】  １  レバーコック付きキャップ
２  ホース
３  ハンドルノズル
【図１】
2007153292.tif 000003
【図２】
2007153292.tif 000004
(57)【要約】【課題】  本発明は、内部圧力変動抑制機構を備えた打撃工具に関し、機体の耐久性向上を図ることである。【解決手段】  クランクケース１４に副室１５を設け、打撃機構部１１と副室１５間の壁に貫通孔１６を設ける。貫通孔１６は斜面１６ａを有し、副室１５側を大径部１６ｂとする段付孔とする。バルブ１７にはＯリング１８を装着し、貫通孔１６にバルブ１７を配設する。バルブ１７は打撃機構部１１側へばね１９で付勢し、Ｏリング１８が貫通孔１６の斜面１６ａに当接することで打撃機構部１１と副室１５間の空気流入を遮断する。【選択図】  図１
2007000987.tif 000002
【特許請求の範囲】
【請求項１】
モータと、該モータの回転駆動により回転するクランクシャフトと、該クランクシャフトと係合し、ピストンを往復動に変換するコンロッドを有する打撃工具であって、前記クランクシャフトを収納し外気と密閉されたクランクケースに該クランクケース内外気との圧力調整機構を設け、かつ該圧力調整機構は回転駆動される前記コンロッドと当接する位置に配設し、前記圧力調整機構は前記コンロッドの回転運動に連動して作動することを特徴とする打撃工具。
【発明の詳細な説明】
【技術分野】
【０００１】
本発明は、電気ハンマ及び電気ハンマドリルのように、機体内部を密封構造とした打撃工具に関するものである。
【背景技術】
【０００２】
従来の打撃工具を図４を用いて説明する。
【０００３】
図４に示すように、モータ１の回転力を歯車２に伝達し、クランクシャフト３、コンロッド４により往復動に変換しシリンダ６内に設けられたピストン５を往復動させ、シリンダ６内において空気室７を介して打撃子８を連動させると共にシリンダ６に着脱可能に保持された先端工具９の端部と当接可能な中間子１０を打撃することにより先端工具９に打撃を伝達する打撃機構部１１を有する構成をしている。
【０００４】
打撃機構部１１には潤滑剤が充填され、各々の軸にはオイルシール１２やＯリング１３を配設し、機体内部と外気とを遮断し、潤滑剤の外部への流出を防止する密封構造をしている。（例えば特許文献１参照。）
【特許文献１】特開２００２−１２７０４４号公報
【発明の開示】
【発明が解決しようとする課題】
【０００５】
上記した従来の打撃工具では、打撃工具が運転すると、打撃機構部の発熱により機体内部の温度が上昇し、密封された内部の空気が膨張し、内部圧力が上昇する。この時シール箇所のどこか一ヶ所でもシール力が低下すると、その部分から膨張した空気は潤滑剤と共に機体外部へ流出してしまい、機体の寿命を低下させるという欠点があった。
【０００６】
本発明の目的は、上記従来の欠点を解消し、耐久性の向上した打撃工具を提供することである。
【課題を解決するための手段】
【０００７】
上記目的は、クランクシャフトを収納し外気と密閉されたクランクケースにクランクケース内外気との圧力調整機構を設け、かつ圧力調整機構は回転駆動されるコンロッドと当接する位置に配設し、圧力調整機構はコンロッドの回転運動に連動して作動する構成とすることにより達成することができる。
【発明の効果】
【０００８】
本発明の打撃工具は、クランクシャフトを収納し外気と密閉されたクランクケースにクランクケース内外気との圧力調整機構を設け、かつ圧力調整機構は回転駆動される前記コンロッドと当接する位置に配設し、圧力調整機構はコンロッドの回転運動に連動して作動する構成とすることで、機体内部の圧力の上昇を抑制することが可能となり、機体外部への潤滑剤の流出を防止し、結果として寿命の長い、安定した製品を提供することができる。
【発明を実施するための最良の形態】
【０００９】
本発明打撃工具の一実施形態を図１、２、３を用いて説明する。
【００１０】
図１に示すように、モータ１の回転力を歯車２に伝達し、クランクシャフト３およびコンロッド４により往復動に変換しピストン５を往復動させ、シリンダ６内において空気室７を介して打撃子８を連動させると共にシリンダ６に着脱可能に保持された先端工具９の端部と当接可能な中間子１０を打撃することにより先端工具９に打撃を伝達する打撃機構部１１を有する構成をしている。
【００１１】
打撃機構部１１には潤滑剤を充填する。各々の軸にはオイルシール１２、Ｏリング１３を配設し、機体内部と外気とを遮断し、潤滑剤の外部への流出を防止する密封構造をしている。
【００１２】
打撃機構部１１を収納するクランクケース１４に副室１５を設け、打撃機構部１１と副室１５間の壁に貫通孔１６を設ける。貫通孔１６は斜面１６ａを有し、副室１５側を大径部１６ｂとする段付孔とする。バルブ１７にはＯリング１８を装着し、貫通孔１６にバルブ１７を配設する。バルブ１７は打撃機構部１１側へばね１９で付勢し、Ｏリング１８が貫通孔１６の斜面１６ａに当接することで打撃機構部１１と副室１５間の空気流入を遮断する。副室１５には外気と通じる呼吸孔２０を設け、呼吸孔２０の外気側にフェルト２１を配設し、潤滑剤の吸着を行い外部への潤滑剤の流出を防止する。
【００１３】
バルブ１７はコンロッド４が上死点付近（ここで上死点とはコンロッド４が副室１５側に最も接近する位置を示す）に移動したときにコンロッド４と当接し、副室１５側に移動する。
バルブ１７が副室１５側に移動すると、バルブ１７に装着したＯリング１８が貫通孔１６の斜面１６ａから離れ、Ｏリング１８が貫通孔１６の大径部１６ｂに移動する。貫通孔１６の大径部１６ｂはＯリング１８の外径より大きい径に設定してあるので、打撃機構部１１と副室１５間の遮断が解除され、打撃機構部１１側から副室１５側へ空気が流入する。副室１５へ流入した空気は呼吸孔２０、フェルト２１を通過し機体外部へ逃げる。
【００１４】
コンロッド４が上死点付近より離れると、バルブ１７は打撃機構部１１側へばね１９で付勢されているため、元の位置に戻り、Ｏリング１８が貫通孔１６の斜面１６ａに当接し打撃機構部１１と副室１５間の空気流入を遮断する。
【図面の簡単な説明】
【００１５】
【図１】本発明打撃工具の一実施形態を示す縦断側面図。
【図２】本発明打撃工具の一実施形態を示す拡大図。
【図３】本発明打撃工具の一実施形態の圧力調整機構作動時を示す拡大図。
【図４】従来の打撃工具の一例を示す縦断側面図。
【符号の説明】
【００１６】
１はモータ、２は歯車、３はクランクシャフト、４はコンロッド、５はピストン、６はシリンダ、７は空気室、８は打撃子、９は先端工具、１０は中間子、１１は打撃機構部、１２はオイルシール、１３はＯリング、１４はクランクケース、１５は副室、１６は貫通孔、１６ａは斜面、１６ｂは大径部、１７はバルブ、１８はＯリング、１９はばね、２０は呼吸孔、２１はフェルトである。
【図１】
2007000987.tif 000003
【図２】
2007000987.tif 000004
【図３】
2007000987.tif 000005
【図４】
2007000987.tif 000006
(57)【要約】      （修正有）【課題】草花を支持する部位が、筒状竹炭の内側および竹炭と紐との間にできる空間に挿入するので、草花が細いもの、柔らかい物、短い物であっても茎を痛めることなく、草花を支持して生けることができる竹炭の剣山を提供すること。【解決手段】太さが約２センチで、長さが５センチ、４センチ、３センチ等に切断した複数本の筒状の竹炭１，２，３を、側面部が接し片方の端面が底になるように天然素材である麻の紐４の結束手段を用いて結束し、花器５に設置して水６を注入して花７を生けるようにする。【選択図】 図３
2007000301.tif 000002
【特許請求の範囲】
【請求項１】
複数本の筒状の竹炭を、側面部が接し片方の端面が底になるように結束手段を用いて結束したことを特徴とする竹炭剣山。
【請求項２】
請求項１記載の竹炭剣山において、前記結束手段が解束可能な紐状物であることを特徴とする竹炭剣山。
【発明の詳細な説明】
【技術分野】
【０００１】
本発明は竹炭の剣山に関するものである。
【背景技術】
【０００２】
従来の剣山には、花器内の水の腐敗を予防し活花用水質汚濁防止具が附加されているものがある(特許文献１参照)。また、筒状のものの上部に無数の穴を開けて花を生けることができるものもある（特許文献２参照）。また、形状や大きさを変えることができ、繰り返し使え、組み合わせることができるものもある(特許文献３参照)。
【特許文献１】特開２０００−２６２１４６号公報
【特許文献２】特開２００１−３５３０５４号公報
【特許文献３】特開２００２−１３６４０５号公報
【発明の開示】
【発明が解決しようとする課題】
【０００３】
特許文献１に記載の剣山は、銅あるいは銀を構成成分としているため使用後は不燃ゴミとなった。また、特許文献２に記載の剣山は、花を長持ちさせるための追肥、花器内の水の腐敗を遅延するための水替えが必要となった。また、使用できなくなった場合にゴミになった。また、特許文献３に記載の剣山は、花器内の水の腐敗を遅延するための水替えが必要となった。さらに、特許文献１および３に記載の剣山では、草花を支持する部位が針状になっているため、茎がその針より細いまたは柔らかい草花を生けることは困難であった。さらに、針状の支持部に茎をさして草花を生けるため、刺した部分から腐敗しやすく、花木の寿命が短くなった。また、美観を保つために、剣山が見えなくなる程多量の草花を使用する場合があった。
【課題を解決するための手段】
【０００４】
上記の問題を解決するために、複数本の筒状の竹炭を側面部が接し片方の端面が底になるように結束手段を用いて結束する。
【０００５】
前記結束手段が解束可能な紐状物であってもよい。
【発明の効果】
【０００６】
本発明は草花を支持する部位が、筒状竹炭の内側および竹炭と紐との間にできる空間である。これらの空間に草花を挿入して生けることができる。したがって、草花の茎が細いもの、また、柔らかい物、短い物であっても、茎を痛めることなく草花を支持し生けることができるという利点がある。
【０００７】
また、筒状の竹炭は水質を浄化するために生産されたものを加工しないで用いるので、本発明を水中に設置した場合、竹炭が有するミネラルが放出され、生け花に追肥が不要になり、竹炭が有する殺菌作用により腐敗速度が遅延され、水替えの必要性が減少し仕事量が軽減され経費を節約する利点もある。
【０００８】
また、解くことが可能な結束手段を用いることで、草花の量に応じて竹炭の本数を変更しても再度結束して利用することができる。これによって大きさの異なる剣山を他に準備する必要がない。さらに、竹炭が破損しても紐は再利用ができるので、他の紐を準備する必要がないという利点もある。
【発明を実施するための最良の形態】
【０００９】
本発明に用いる竹炭は、筒状に切断したものであればよく、節の有無は問わない。竹炭の作り方としては水質浄化を目的に作られたものが望ましい。それは生け花の水を浄化し仕事量を軽減することにつながるからである。その一例としては、竹を良く乾燥させ点火から消火および冷却までに１週間を費やし低温で焼き柔らかく仕上げる方法がある。さらに、土木工事を施工する際に発生した不要な竹や間伐した竹を、用いることが資源のリサイクルという目的を達成するためにはより望ましい。
【００１０】
竹炭の太さ・長さは限定しない。生けようとする草花の茎の太さ・長さに対応できるものを使用すれば、草花を限定する必要がないので。
【００１１】
竹炭の本数は限定しない。生けようとする草花の本数に応じて増やすこともできる。減らしても良いが、支持安定性を確保するためには、３本以上が望ましい。
【００１２】
結束手段とは繰り返し結んだり解いたりできる紐状物であれば良い。生けようとする草花の太さ、本数によって使用する竹炭の本数を変更し再利用ができるからである。
【００１３】
紐状物とは柔らかいものが望ましい。繰り返し結んだり解いたりするためには柔らかいものの方が良い。生け花に影響を与えず、比較的長期間、繰り返し使用するという目的においては天然素材のもが好ましい。例えば、絹、綿、麻などの素材からなる紐状物を言う。
【００１４】
紐の長さは限定しない。使用する竹炭を結束するために必要かつ充分な長さであれば良い。
【００１５】
紐の太さは限定しない。使用する竹炭を結束するために必要かつ充分な太さであれば良い。
【実施例】
【００１６】
図３を参照しながら説明する。太さが約2cmのものを、それぞれの長さが５cm、３ｃｍ、４cmに切断し筒状にした竹炭を、天然素材である麻の紐４で結び、花器５に設置し、水６を注入した。これに花７を生けている。
【図面の簡単な説明】
【００１７】
【図１】本発明の実施例となる竹炭剣山の斜視図である。
【図２】本発明の実施例となる竹炭剣山の底面図である。
【図３】本発明の使用例を示した図である。
【符号の説明】
【００１８】
竹炭
竹炭
竹炭
紐
花器
水
花
【図１】
2007000301.tif 000003
【図２】
2007000301.tif 000004
【図３】
2007000301.tif 000005
(57)【要約】      （修正有）【課題】一枚布地（例布団を包んだカバー）でベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。【解決手段】平面で、ある大きさ、厚さ、長さ、幅を持つ一枚の袋、及び布地の、必要とする任意の位置に長さ、厚さ、大きさ、幅の面テープ（１）、（２）と面テープの（１ａ）、（２ａ）を設けたことにより、ベランダの手摺を挟んで布団を干す時等、それが落下しない様に容易に出来、又取り入れも容易に出来る。【選択図】  図１
2007000568.tif 000002
【特許請求の範囲】
【請求項１】
平面で、ある大きさ、厚さ、長さ、を持つ物である。必要な任意の位置に長さ、厚さ、大きさ、の面テープ（１）、（２）と面テープの（１ａ）、（２ａ）を設けたことを特徴とする面テープ付布地および、科学製品の物である。
【発明の詳細な説明】
【技術分野】
【０００１】平面で、ある大きさ、厚さ、長さ、幅、を持つ一枚の袋、及び布地である。必要な任意の位置に長さ、厚さ、大きさ、幅、の面テープ（１）、（２）と面テープの（１ａ）、（２ａ）を設けたことを特徴とする面テープ付布地および、科学製品の物である。これらを開閉の作業により開閉が出来る様にした物でもある
【肯景技術】
【０００２】一枚布地（例布団を包んだカバー）ベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。また、それを固定するのにほとんどが一本では無理で、二本ないし三本を必要とする。手間をかけている。又、余り力を入れ過ぎてそれを破損し無駄にする事が多い。そのような不便、不経済、をなくし、もっと使い安い物がないかと思考、工夫をした物が本発明である、これを使用することにより、不便、不経済、力の弱い人、にも楽々使用ができ便利である。本発明品は、平面で、ある大きさ、厚さ、長さ、幅を持つ一枚の袋、及び布地で、必要とする任意の位置に長さ、厚さ、大きさ、幅の面テープ（１）、（２）と面テープの（１ａ）、（２ａ）を設けたことを特徴とする面テープ付布地および、科学製品の物である。又、このような作業をすることにより物の落下、取り入れが簡単に出来る大変ありがたい物である。
【発明の開示】
【発明が解決しようとする課題】
【０００３】一枚布地（例布団を包んだカバー）ベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。また、それを固定するのにほとんどが一本では無理で、二本ないし三本を必要とする。手間をかけている。又、余り力を入れ過ぎてそれを破損し無駄にする事が多い。そのような不便、不経済、をなくし、もっと使い安い物がないかと思考、工夫をした物が本発明である、これを使用することにより、不便、不経済、力の弱い人、にも楽々使用ができ便利である。本発明品は、平面で、ある大きさ、厚さ、長さ、幅を持つ一枚の袋、及び布地で、必要とする任意の位置に長さ、厚さ、大きさ、幅の面テープ（１）、（２）と面テープの（１ａ）、（２ａ）を設けたことを特徴とする面テープ付布地および、科学製品の物である。又、このような作業をすることにより物の落下、取り入れが簡単に出来る大変ありがたい物である。
【課題を解決するための手段】
【０００４】一枚布地（例布団を包んだカバー）ベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。また、それを固定するのにほとんどが一本では無理で、二本ないし三本を必要とする。手間をかけている。又、余り力を入れ過ぎてそれを破損し無駄にする事が多い。そのような不便、不経済、をなくし、もっと使い安い物がないかと思考、工夫をした物が本発明である、これを使用することにより、不便、不経済、力の弱い人、にも楽々使用ができ便利である。本発明品は、平面で、ある大きさ、厚さ、長さ、幅を持つ一枚の袋、及び布地で、必要とする任意の位置に長さ、厚さ、大きさ、幅の面テープ（１）、（２）と面テープの（１ａ）、（２ａ）を設けたことを特徴とする面テープ付布地および、科学製品の物である。又、このような作業をすることにより物の落下、取り入れが簡単に出来る大変ありがたい物である。
【発明の効果】
【０００５】一枚布地（例布団を包んだカバー）ベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。また、それを固定するのにほとんどが一本では無理で、二本ないし三本を必要とする。手間をかけている。又、余り力を入れ過ぎてそれを破損し無駄にする事が多い。そのような不便、不経済、をなくし、もっと使い安い物がないかと思考、工夫をした物が本発明である、これを使用することにより、不便、不経済、力の弱い人、にも楽々使用ができ便利である。本発明品は、平面で、ある大きさ、厚さ、長さ、幅を持つ一枚の袋、及び布地で、必要とする任意の位置に長さ、厚さ、大きさ、幅の面テープ（１）、（２）と面テープの（１ａ）、（２ａ）を設けたことを特徴とする面テープ付布地および、科学製品の物である。又、このような作業をすることにより物の落下、取り入れが簡単に出来る大変ありがたい物である。
【発明を実施するための最良の形態】
【０００６】一枚布地（例布団を包んだカバー）ベランダの手摺を挟んで布団を干す時、それが落下しない様に、布団バサミで固定し防止している。布団バサミの殆どが強力で出来、それを広げて固定するのに、老人、力の弱いひと、子供達は一苦労をする点が多い。また、それを固定するのにほとんどが一本では無理で、二本ないし三本を必要とする。手間をかけている。又、余り力を入れ過ぎてそれを破損し無駄にする事が多い。そのような不便、不経済、をなくし、もっと使い安い物がないかと思考、工夫をした物が本発明である、これを使用することにより、不便、不経済、力の弱い人、にも楽々使用ができ便利である。本発明品は、平面で、ある大きさ、厚さ、長さ、幅を持つ一枚の袋、及び布地で、必要とする任意の位置に長さ、厚さ、大きさ、幅の面テープ（１）、（２）と面テープの（１ａ）、（２ａ）を設けたことを特徴とする面テープ付布地および、科学製品の物である。又、このような（１、１ａ・２、２ａ、）おのおのを外したり、合着したりする作業をすることによりその物の作用の動きによって物の落下、取り入れが簡単に出来る大変ありがたい物である。
【図面の簡単な説明】
【０００７】
【図１】本発明の平面及び、斜視図
【符号の説明】
【０００８】１    （例  布団を包んだカバー）面テープ（１、２、）を付けた２    （例  布団を包んだカバー）面テープ（１ａ，２ａ，）を付けた３    鋏まれる物４    平面で面テープをつける事が出来る物
【図１】
2007000568.tif 000003